(57)【要約】【課題】商品の個体管理とＲＦＩＤタグのリユースを可能にする商品管理システム、無線タグのリユース方法、及びプログラムを提供する。【解決手段】無線タグ２２は、少なくとも、商品の個品管理をするシリアル番号と、商品の属性を管理する商品個別番号とを記憶した記憶素子２２ａと、シリアル番号が印刷されたバーコード２２ｂと、を有し、記憶素子に記憶された商品個別番号は書き換え可能である。無線タグが有する記憶素子に記録された商品個別番号が書き換え可能であるため、無線タグの記憶素子に記憶された商品個別番号のみを商品の属性に合わせて書き換えることで、商品の個体管理と無線タグのリユースの両立が可能になる。【選択図】図２
2015176446.tif 000002
【特許請求の範囲】
【請求項１】
少なくとも、商品の個品管理をするシリアル番号と、商品の属性を管理する商品個別番号とを記憶した記憶素子と、
前記シリアル番号が印刷されたバーコードと、を有し、
前記記憶素子に記憶された商品個別番号は書き換え可能であることを特徴とする無線タグ。
【請求項２】
前記商品個別番号は、
前記無線タグと同時に商品に貼付して使用する商品管理用タグにバーコードとして印刷された商品個別番号と同一の番号であることを特徴とする請求項１に記載の無線タグ。
【請求項３】
商品の個品管理をするシリアル番号と商品の属性を管理する商品個別番号とを記憶し、
前記シリアル番号がバーコードとして印刷された無線タグに内蔵されている記憶素子に対して、前記商品個別番号の書き込み及び読み出しが可能なことを特徴とする無線リードライタ装置。
【請求項４】
前記無線タグに印刷された前記バーコードから前記シリアル番号を読み取ることが可能であることを特徴とする請求項３に記載の無線リードライタ装置。
【請求項５】
前記無線タグと同時に商品に貼付して使用する商品管理用タグに印刷されたバーコードから前記商品個別番号を読み取ることが可能であることを特徴とする請求項３又は４に記載の無線リードライタ装置。
【請求項６】
前記無線タグに対する情報の書き込み及び読み出しの処理結果を記憶する記憶手段と、
前記記憶手段に記憶された処理結果に応じた表示を行う表示手段と、
を有することを特徴とする請求項３〜５のいずれか１項に記載の無線リードライタ装置。
【請求項７】
商品に、前記商品の属性及び前記商品の個品管理を行う無線タグを貼付して商品の個別管理を行う商品管理システムであって、
前記無線タグは、
少なくとも、商品の個品管理をするシリアル番号と、商品の属性を管理する商品個別番号とを記憶した記憶素子と、
前記シリアル番号が印刷されたバーコードと、を有し、
前記記憶素子に記憶された商品個別番号は書き換え可能であることを特徴とする商品管理システム。
【請求項８】
前記商品に、前記商品の属性を管理する商品個別番号のバーコードが印刷された商品管理用タグを、更に、貼付することを特徴とする請求項７に記載の商品管理システム。
【請求項９】
商品の属性を管理する商品個別番号を含む第１バーコードが印刷された第１タグから前記第１バーコードを読み取り、読み取った第１商品個別番号を記憶する第１処理と、
商品の個品管理をするシリアル番号を含む第２バーコードが印刷された無線タグの記憶素子から第２商品個別番号と前記シリアル番号を含む無線タグ情報を読み取り、読み取った無線タグ情報を記憶する第２処理と、
前記第２処理により記憶された前記第２商品個別番号を前記第１処理により記憶された前記第１商品個別番号に書き換える第３処理と、
を有することを特徴とする無線タグのリユース方法。
【請求項１０】
商品の属性を管理する商品個別番号を含む第１バーコードが印刷された第１タグから前記第１バーコードを読み取り、読み取った前記商品個別番号を記憶する第１処理と、
商品の個品管理をするシリアル番号を含む第２バーコードが印刷された無線タグの記憶素子から前記商品個別番号と前記シリアル番号を含む無線タグ情報を読み取り、読み取った無線タグ情報を記憶する第２処理と、
前記第２処理により記憶された前記無線タグ情報中の商品個別番号を前記第１処理により記憶された商品個別番号に書き換える第３処理と、を、
無線リードライタ装置のコンピュータに実行させるプログラム。
【発明の詳細な説明】
【技術分野】
【０００１】
本発明は、無線タグ、無線リードライタ装置、商品管理システム、無線タグのリユース方法、及びプログラムに関する。
【背景技術】
【０００２】
現在、商品の種類等の属性を管理する方法として、商品コードが埋め込まれたバーコードを商品に貼付する方法が一般に広く行われている。一方、個々の商品の個体を識別する方法として、商品に個体を識別する無線タグ（以下「ＲＦＩＤタグ」）を貼付して、貼付されたＲＦＩＤタグにより商品の個体管理が行われている。
【０００３】
特許文献１には、シリアル番号が記録されたバーコードが付帯されたＲＦＩＤタグが開示されている。又、特許文献２には、部品管理ラベルからバーコード情報を読み取り、読み取ったバーコード情報をＲＦＩＤタグに書き込むことが提案されている。
【先行技術文献】
【特許文献】
【０００４】
【特許文献１】特開２００５−２５４１２号公報
【特許文献２】特開２００９−１８７４０７号公報
【発明の概要】
【発明が解決しようとする課題】
【０００５】
しかし、バーコードには商品の個体を識別するためのユニークな識別番号（ＩＤ）は存在せず、バーコードのみでは個体管理はできない。一方、ユニークなＩＤをバーコード内に作成すると、バーコードの種類が増えてコスト増になるため、通常、バーコード内にユニークなＩＤを作成することはない。
【０００６】
又、ＲＦＩＤタグは、バーコードに較べて単価が高いため、管理対象の商品単価が安価な場合、バーコードにＲＦＩＤタグを追加してリユースすることが行われる。ＲＦＩＤタグには、個体を識別するユニークなＩＤが付けられているが、ＲＦＩＤタグの商品個別番号には、会社コード・商品コード・サイズコード・シリアル番号等を判別できる情報を格納して利用することが一般的である。そのため、ＲＦＩＤタグをリユースすると、商品と商品に貼付されているＲＦＩＤタグの商品個別番号の情報とが一致しなくなり、真の意味での商品の個体管理ができない。
【０００７】
そこで、本発明は、商品の個体管理とＲＦＩＤタグのリユースを可能にする無線タグ、その無線タグの無線リードライタ装置、商品管理システム、無線タグのリユース方法、及びプログラムを提供することを目的とする。
【課題を解決するための手段】
【０００８】
本発明の第１の側面の無線タグは、少なくとも、商品の個品管理をするシリアル番号と、商品の属性を管理する商品個別番号とを記憶した記憶素子と、前記シリアル番号が印刷されたバーコードと、を有し、前記記憶素子に記憶された商品個別番号は書き換え可能であることを特徴とする。
【０００９】
第２の側面の無線リードライタ装置は、商品の個品管理をするシリアル番号と商品の属性を管理する商品個別番号とを記憶し、前記シリアル番号がバーコードとして印刷された無線タグに内蔵されている記憶素子に対して、前記商品個別番号の書き込み及び読み出しが可能なことを特徴とする。
【００１０】
第３の側面の商品管理システムは、商品に、前記商品の属性及び前記商品の個品管理を行う無線タグを貼付して商品の個別管理を行う商品管理システムであって、前記無線タグは、少なくとも、商品の個品管理をするシリアル番号と、商品の属性を管理する商品個別番号とを記憶した記憶素子と、前記シリアル番号が印刷されたバーコードと、を有し、前記記憶素子に記憶された商品個別番号は書き換え可能であることを特徴とする。
【００１１】
第４の側面の無線タグのリユース方法は、商品の属性を管理する商品個別番号を含む第１バーコードが印刷された第１タグから前記第１バーコードを読み取り、読み取った第１商品個別番号を記憶する第１処理と、商品の個品管理をするシリアル番号を含む第２バーコードが印刷された無線タグの記憶素子から第２商品個別番号と前記シリアル番号を含む無線タグ情報を読み取り、読み取った無線タグ情報を記憶する第２処理と、前記第２処理により記憶された前記第２商品個別番号を前記第１処理により記憶された前記第１商品個別番号に書き換える第３処理と、を有することを特徴とする。
【００１２】
第５の側面のプログラムは、前記第１処理と、前記第２処理と、前記第３処理と、を無線リードライタ装置のコンピュータに実行させるものである。
【発明の効果】
【００１３】
本発明によれば、無線タグは、少なくとも、シリアル番号と、書き換え可能な商品個別番号とが記録された記憶素子と、シリアル番号が印刷されたバーコードと、を有している。この無線タグと商品管理用タグとを組み合わせたものを用いて、商品管理を行うと、無線タグが有する記憶素子に記録された商品個別番号が書換可能であるため、商品の個体管理と無線タグのリユースの両立が可能になる。
【００１４】
更に、バーコードリーダで、無線タグに印刷されたバーコード及び商品管理用タグに印刷されたバーコードを読み取ることにより、シリアル番号及び商品個別番号を知ることができるので、無線リードライタ装置のない店舗でも、商品の個体管理が可能になる。
【図面の簡単な説明】
【００１５】
【図１】本発明の実施形態の無線リードライタ装置の概略を示すブロック図である。
【図２】本発明の実施形態の無線タグと商品管理用タグの組合せを示す図である。
【図３】従来の商品管理用タグ及び従来の無線タグと商品管理用タグの組合せを示す図である。
【図４】本発明の実施形態の無線タグのリユース方法の処理を示すフローチャートである。
【発明を実施するための形態】
【００１６】
以下に本発明の実施形態について図面を参照しながら詳細に説明する。
【００１７】
（実施形態の構成）
図１は、本発明の実施形態の無線リードライタ装置の概略を示すブロック図である。
【００１８】
本実施形態で例示する商品管理システム１は、商品を販売する店舗内に構築されるシステムであって、販売（売上）管理や棚卸し等に用いられるシステムである。商品管理システム１は、無線リードライト装置１０と、バーコードタグ等の商品管理用タグ２１及びＲＦＩＤタグ２２が貼付された管理アイテム２０と、を有している。
【００１９】
図１には、説明の便宜上、商品等の管理アイテム２０が１つしか描かれていないが、実際の商品管理システム１では、システムが構築される店舗内の管理対象の商品等の管理アイテムのそれぞれに商品管理用タグ２１とＲＦＩＤタグ２２とが貼付されている。
【００２０】
無線リードライト装置１０本体は、パーソナルコンピュータ（Personal Computer、以下「ＰＣ」という。）等により構成されている。無線リードライト装置１０は、装置全体を制御プログラムにより制御する中央演算装置（Central Processing Unit、以下「ＣＰＵ」という。）１１と、制御プログラム等を記憶しておく記憶部１２と、商品管理用タグ情報を記憶するメモリ１３と、ＲＦＩＤタグ情報を記憶するメモリ１４と、処理結果を記憶するメモリ１５と、を有している。
【００２１】
更に、無線リードライト装置１０には、入力装置１６と、ＲＦリーダライタ１７と、表示装置１９と、が接続されている。入力装置１６は、例えば、バーコードリーダであり、商品管理用タグ２１のバーコードから商品の種類等の属性を管理する商品個別番号を光学的に読み取ると共にＲＦＩＤタグ２２のバーコードから商品の個品管理をするシリアル番号を光学的に読み取るものである。
【００２２】
ＲＦリーダライタ１７は、アンテナ１８からＲＦＩＤタグ２２内の図示しないメモリＩＣに電波又は電磁エネルギーを供給して、メモリＩＣ内に記憶された商品個別番号を書き換え又は読み出すものである。表示装置１９は、例えば、モニタであり、無線リードライト装置１０内の処理結果を表示するものである。
【００２３】
図２は、本発明の実施形態の無線タグと商品管理用タグの組合せを示す図である。
商品管理用タグとしてのバーコードタグ２１には、商品個別番号のバーコード２１ａとして、例えば、“4598765432106”が印字されている。（尚、上位の2桁“45”は国コード、最後の１桁“6”はチェックデジットを示す）。チェックデジットとはバーコードの数字から算出されるものであり、誤読を防止するために利用される。無線タグとしてのＲＦＩＤタグ２２は、無線タグ部２２ａとバーコード部２２ｂとを有している。
【００２４】
無線タグ部２２ａは、例えば、メモリＩＣ等により構成され、このメモリＩＣには、バーコードタグ２１に印字された商品個別番号と同一の商品個別番号、例えば、“9876543210”（国コードとチェックデジットは除く）と商品を個品管理するシリアル番号、例えば、“0000000014”（国コードとチェックデジットを除く）が記憶される。
【００２５】
商品個別番号は、商品の属性を管理する番号であり、例えば、会社コード、商品コード、サイズコード等を含んでいる。例えば、会社コード、商品コード、サイズコード等が全て同一の商品の商品個別番号は、同一である。本発明の実施形態の無線タグ中の記憶素子２２ａには、商品個別番号が書換可能に記憶される。バーコード部２２ｂには、商品を個品管理するシリアル番号、例えば、“4500000000148”が印刷されている。ここで、同一の店舗で管理する同一の商品個別番号を有する商品の最大数を超える数のシリアル番号、例えば、“4500000000018”〜“4500000001008”の100個分が存在するものとする。
【００２６】
無線リードライト装置１０は、入力装置１６によって、図２中のバーコードタグ２１のバーコード２１ａから商品管理番号等の商品管理用タグ情報を光学的に読み取り、メモリ１３へ記憶する。又、無線リードライト装置１０は、ＲＦリーダライタ１７及びアンテナ１８を介して無線により、入力装置１６によって読み取ったシリアル番号に紐付けして商品個別番号を図２中のＲＦＩＤタグ２２の無線タグ部２２ａに書き込む。更に、無線リードライト装置１０は、アンテナ１８を介してＲＦリーダライタ１７により、図２中のＲＦＩＤタグ２２の無線タグ部２２ａからＲＦＩＤタグ情報を読み出して、メモリ１４へ記憶する。
【００２７】
無線リードライト装置１０は、ＲＦＩＤタグ２２の無線タグ部２２ａに対する情報の書き込み及び読み出しの処理結果をメモリ１５に記憶する。更に、無線リードライト装置１０は、モニタ等の表示装置１９にメモリ１５に記憶されている処理結果を表示し、ユーザの確認を促す。表示装置１９は、例えば、タッチパネルを兼ねた液晶表示モニタにより構成される。
【００２８】
（実施形態の動作）
実施形態の動作について、（Ｉ）従来の商品管理システムと、（II）本発明の商品管理システムと、(III) 本発明の実施形態の無線タグのリユース方法の処理と、に分けて説明する。
【００２９】
（Ｉ）従来の商品管理システム
図３（ａ）は、従来の商品管理用タグを示す図であり、図３（ｂ）は、従来のＲＦＩＤタグと商品管理用タグの組合せを示す図である。
【００３０】
図３（ａ）には、例えば、商品個別番号が印刷されたバーコード２１ａを有する商品管理用タグとしてのバーコードタグ２１が示されている。バーコードタグ２１には、商品の属性を管理する商品個別番号が印字されている。この商品個別番号は、商品の種類等の属性を管理する番号であるので、同一の商品が複数存在する場合には、同一の商品数だけ同一の商品個別番号が印字されたバーコードタグ２１が存在する。そのため、バーコードタグ２１のみによる商品管理では、商品の個体管理を行うことができない。商品が、例えば、鉛筆、消しゴム等の文房具である場合、これらの文房具は工業製品であり、同じ種類の商品であれば同一の価値を持つと考えられ、通常、商品の個体管理は必要ない。
【００３１】
これに対して、商品が、例えば、春物のセーター等である場合、これらの衣料品は商品の種類は同一であっても、個々の商品毎で微妙な違いがあるので、きめ細かな商品管理のために個体管理を行うことが好ましい。しかしながら、図３（ａ）に示されたバーコードタグ２１のみでは、商品の種類の管理はできても、商品の個体管理はすることができない。
【００３２】
図３（ｂ）には、例えば、商品個別番号が印刷されたバーコード２１ａと、メモリＩＣ２３ａに商品個別番号及びシリアル番号とが記憶されたＲＦＩＤタグ２３と、の組み合わせが示されている。
【００３３】
図３（ｂ）に示されたバーコードタグ２１とＲＦＩＤタグ２３との組み合わせによる商品管理について説明する。バーコードタグ２１のバーコード２１ａに印字された商品個別番号を入力装置１６で読み取ることにより、バーコードタグ２１が貼付された商品の種類を特定することで商品を種類毎に管理することができる。更に、ＲＦＩＤタグ２３のメモリＩＣ２３ａに書き込まれた会社コード・商品コード、サイズコード等の商品個別情報とユニークなシリアル番号とをアンテナ１８を介して無線によりリーダライタ１７で読み出して、ユニークなシリアル番号により個体管理を行うことができる。
【００３４】
この方法の場合、ＲＦＩＤタグ２３内のメモリＩＣ２３ａに書き込まれた商品個別情報は固定であり、会社コード・商品コード、サイズコード等の情報を含んでいる。そのため、ＲＦＩＤタグ２３を他の商品にリユースすると、ＲＦＩＤタグ２３が貼付された商品と、ＲＦＩＤタグ２３に書き込まれている会社コード・商品コード、サイズコード等の商品個別情報が一致しなくなる。そのため、真の意味での商品の個体管理ができない。
【００３５】
又、ユニークなシリアル番号は、ＲＦＩＤタグ２３内のメモリＩＣ２３ａから無線リードライト装置１０で読み出す必要がある。そのため、無線リードライト装置１０が設置されておらず、バーコードリーダしか設置されていない店舗では、商品の個体管理を行うことができなかった。
【００３６】
（II）本発明の商品管理システム
本発明の商品管理システムは、図２に示されたバーコードタグ２１と、ＲＦＩＤタグ２２との組み合わせを管理アイテム２０の商品に貼付することにより、商品の個体管理を行うものである。図２中のバーコードタグ２１のバーコード２１ａに印字された商品個別番号を入力装置１６で光学的に読み取ることにより、商品の種類等の属性を特定する。図２中のＲＦＩＤタグ２２中の無線タグ部２２ａには、書換可能な商品個別番号とユニークなシリアル番号とが記憶されている。商品個別番号に、ユニークなシリアル番号に紐付けした会社コード・商品コード、サイズコード等を書き込んでおけば、バーコードタグ２１とリユースのＲＦＩＤタグ２２との組み合わせにより、商品の個体管理を行うことができる。
【００３７】
(III) 本発明の無線タグのリユース方法の処理
図４は、本発明の実施形態の無線タグのリユース方法の処理を示すフローチャートである。
【００３８】
図１及び図２を参照しつつ、図４のフローチャートに沿って、無線タグのリユース方法の処理について説明する。
【００３９】
図４において、処理が開始されると、ステップＳ１へ進む。ステップＳ１において、無線リードライト装置１０のＣＰＵ１１は、新商品の商品管理用タグ２１の読み取りを指示し、ステップＳ２へ進む。
【００４０】
ステップＳ２において、ＣＰＵ１１は、入力装置１６に、管理アイテム２０に貼付されている商品管理用タグ２１から商品管理用タグ情報を読み取る処理を実行し、ステップＳ３へ進む。
【００４１】
ステップＳ３において、ＣＰＵ１１は、入力装置１６により光学的にバーコード等が読み取るまで、ステップＳ２及びＳ３の処理を繰り返し、ステップＳ３において、バーコード等が光学的に読み取られると（Ｙｅｓ）、ステップＳ４へ進む。
【００４２】
ステップＳ４において、ＣＰＵ１１は、入力装置１６により読み取った第１商品個別番号等の商品管理用タグ情報をメモリ１３に格納し、ステップＳ５へ進む。
【００４３】
ステップＳ５において、ＣＰＵ１１は、表示装置１９に、古い商品に貼付されていたＲＦＩＤタグ２２を読み取る旨の表示を行い、ステップＳ６へ進む。ステップＳ６において、古い商品に貼付されているＲＦＩＤタグ２２のメモリＩＣ２２ａに記憶された第２商品個別番号及びシリアル番号の読み取り処理が行われ、ステップＳ７へ進む。ステップＳ７において、ＣＰＵ１１は、ＲＦＩＤタグ２２が検知されるまで、ステップＳ６，Ｓ７の処理を繰り返し、ステップＳ７において、ＲＦＩＤタグ２２が検知されると（Ｙｅｓ）、ステップＳ８へ進む。
【００４４】
ステップＳ８において、ＣＰＵ１１は、ステップＳ６，Ｓ７の処理で読み取った第２商品個別番号及びシリアル番号を含むＲＦＩＤタグ情報をメモリ１４に保存し、ステップＳ９へ進む。
【００４５】
ステップＳ９において、ＣＰＵ１１は、タグ検知個数に関する書替対象判断（１）を行い、ステップＳ７で検知したタグが１個の場合はステップＳ１０へ進み、２個以上の場合はステップＳ１６へ進む。
【００４６】
ステップＳ１０において、ＣＰＵ１１は、メモリ１４のＲＦＩＤタグ書換情報を参照して、ＲＦＩＤタグ２２が自社タグか否かを判定し、自社タグであって書換対象の場合はステップＳ１１へ進み、自社タグでなく書替対象外の場合はステップＳ１６へ進む。
【００４７】
ステップＳ１１において、ＣＰＵ１１は、メモリ１３から商品管理用タグ情報を読み出し、メモリ１４からＲＦＩＤタグ情報を読み出し、読み出した商品管理用タグ情報及びＲＦＩＤタグ情報からＲＦＩＤタグ２２の書換のためのタグＩＤ情報を生成し、ステップＳ１２へ進む。ステップＳ１２において、ＣＰＵ１１は、シリアル番号に紐付けられた第２商品個別番号を第１商品個別番号に更新するＲＦＩＤタグ書き込み処理を行い、ステップＳ１３へ進む。
【００４８】
ステップＳ１３において、ＣＰＵ１１は、ステップＳ１１，Ｓ１２の処理結果をメモリ１４にＲＦＩＤタグ情報として保存すると共に、メモリ１５に処理結果を保存し、ステップＳ１４へ進む。
【００４９】
ステップＳ１４において、ＣＰＵ１１は、表示装置１９に書換完了の結果を表示し、ステップ１５へ進む。ステップＳ１５において、表示装置１９に表示された書換完了に対する確認が商品管理を行う店員により行われると、処理が終了する。
【００５０】
ステップＳ１６において、ＲＦＩＤタグの検知個数が２個以上又は自社タグでなく書換対象外である処理結果をメモリ１５へ保存し、ステップＳ１７へ進む。
【００５１】
ステップＳ１７において、ＣＰＵ１１は、表示装置１９に「ＲＦＩＤタグ複数検知」又は「自社タグでない」の結果を表示し、ステップ１８へ進む。ステップＳ１８において、表示装置１９に表示されたＲＦＩＤタグ複数検知に対する確認が商品管理を行う店員により行われると、処理が終了する。
【００５２】
（実施形態の効果）
本発明によれば、以下の（ａ）〜（ｄ）のような効果がある。
【００５３】
（ａ）管理アイテム２０としての商品の製造時にＲＦＩＤタグ２２の装着をしなくても、店頭でＲＦＩＤタグ２２を後付することで、一度使用したＲＦＩＤタグ２２を再利用して商品の個品管理が可能になる。
【００５４】
（ｂ）ＲＦＩＤタグ２２のシリアル番号を記録している部分を変更しないので、同一の商品管理システムでＲＦＩＤタグ２２をリユースしても、ＲＦＩＤタグ２２のユニーク性を担保できる。
【００５５】
（ｃ）物流センター等を経由せず、直接店舗等に納入される商品についても、店舗でのＲＦＩＤタグの貼付、書換で対応できる。
【００５６】
（ｄ）無線リードライト装置１０がない店舗等であっても、商品管理用タグ２１とＲＦＩＤタグ２２のシリアル番号をバーコードリーダで光学的に読み取ることで商品の個品管理が可能になる。
【００５７】
本発明は、上述した実施形態に限定されるものではなく、本発明の要旨を逸脱しない範囲内で種々の構成又は実施形態を取ることができる。
【符号の説明】
【００５８】
１                                        商品管理システム
１０                                        無線リードライタ装置
１１                                        ＣＰＵ
１２                                        記憶部
１３，１４，１５                            メモリ
１６                                        入力装置
１７                                        ＲＦリーダライタ
１８                                        アンテナ
１９                                        表示装置
２０                                        管理アイテム
２１                                        商品管理用タグ
２１ａ，２２ｂ                              バーコード
２２，２３                                  ＲＦＩＤタグ
２２ａ，２３ａ                              メモリＩＣ
【図１】
2015176446.tif 000003
【図２】
2015176446.tif 000004
【図３】
2015176446.tif 000005
【図４】
2015176446.tif 000006